(57)【要約】【課題】筆記圧による先部材１３の往復動によって芯ホルダー１７が一方向に回転し、この芯ホルダー１７の回転に伴い芯１６及びチャック６を回転させ、把持部材１の揺動を弾性体により緩和するシャープペンシルに適用できる。【解決手段】チャック６の頭部６Ａに締具７を外嵌し、この締具７を受け止める連結具１０をスライド部材３に回動可能に取り付ける。このスライド部材３に先部材１３を取り付け、かつ、スライド部材３を弾性体により長手方向前方に付勢する。更に、先部材１３に対し摺動部材１８を長手方向には移動可能で回動不能に構成する。前記先部材１３に長手方向には移動可能で回動不能に摺動部材１８を構成する。この先部材１３に対し摺動部材１８を長手方向に往復動させることによって、芯ホルダー１７を一方向に所定角度毎に回転させる回転機構を構成する。前記芯ホルダー１７の回転に伴って芯１６を回転させる。【選択図】図１
2013126737.tif 000002
【特許請求の範囲】
【請求項１】
チャックの頭部に締具を外嵌し、前記チャックをチャックスプリングにより長手方向後方に付勢し、チャックに押圧された締具を受け止める連結具をスライド部材に対し回動可能に構成し、把持部材に対して前記スライド部材を長手方向に移動可能で回動不能に構成し、かつ、スライド部材を弾性体により長手方向前方に付勢し、このスライド部材に先部材を連結し、先部材内に回動不能に摺動部材を内蔵し、更に、摺動部材に前カムと後カムを形成するとともに回転部材に前カムと後カムを形成し、前記摺動部材の前カムと回転部材の前カムを互いに当接可能に構成するとともに摺動部材の後カムと回転部材の後カムを互いに当接可能に構成し、筆記によるチャック及び連結具の前後動と連動してスライド部材が前後動することにより、摺動部材と回転部材が互いに前後に移動し、摺動部材の前カムと回転部材の前カム及び摺動部材の後カムと回転部材の後カムが前後して互いに当接することにより回転部材が一方向に回転し、この回転部材と連動して芯ホルダーを所定角度毎に回転させ、芯ホルダーの回転に伴って芯ホルダーに適度の力で保持された芯を回転させることを特徴とするシャープペンシル。
【発明の詳細な説明】
【技術分野】
【０００１】
本発明は、筆記圧による先部材の往復動によって芯ホルダーが一方向に回転し、この芯ホルダーの回転に伴い芯及びチャックを回転させるシャープペンシルに関するものである。
【背景技術】
【０００２】
一般的に筆記具は若干傾けて筆記するが、シャープペンシルを傾けて筆記すると芯が片減りしてしまうために、芯の端面が楕円状になってしまい筆記幅が次第に太くなってしまうものであった。そのため、細い筆記幅を保つためにはシャープペンシルを回転する必要があった。
この点を解消するために、内軸に開口溝を構成し、この開口溝の一方の側壁は前部が大きく傾斜されるとともに後部が略垂直に形成され、かつ、他方の側壁は略同一に傾斜されて形成され、更に、連結具に前記開口溝に係合される突起を構成するとともに、連結具の後端に係止爪を形成し、前記内軸に対し回動自在に設けられた回転部材の前端に周方向に多数のカム歯を形成し、前記回転部材に対しチャックを長手方向には摺動自在で回動不能に構成し、前記連結具と回転部材の間にリターンスプリングを張架し、かつ、回転部材を前記リターンスプリングより大きい取付時荷重のスプリングにより長手方向前方に付勢し、回転部材を前記内軸に押圧するとともに、通常連結具の係止爪と回転部材のカム歯を適宜離間して構成し、芯に筆圧が加えられると芯ガイド部材を連結した連結具の突起が内軸の右側側壁に沿って左回転しながら後退し、連結具の係止爪が回転部材のカム歯に当接すると連結具とともに回転部材も左回転し、回転部材とともにチャック及び芯が一定量左回転するシャープペンシルが知られている。（特許文献１参照）
【０００３】
しかしながら、上記シャープペンシルは、軸筒及び先部材内で芯、チャック及び芯ガイド部材が同時に往復動するため、芯の移動が軸筒を把持した手に直接伝わり、非常に筆記しにくいものであった。また、芯に筆記圧を加えた時、先部材より突出した芯ガイド部材及び芯の後退が目に入ってしまい、不快感が生じてしまうものであった。
【先行技術文献】
【特許文献】
【０００４】
【特許文献１】特開２０１０−３６３９１号公報
【発明の概要】
【発明が解決しようとする課題】
【０００５】
解決しようとする問題点は、軸筒及び先部材内を芯、チャック及び芯ガイド部材が同時に往復動するため、芯の移動が軸筒を把持する手に直接伝わって筆記しにくい点と、筆記中に先部材より突出した芯及び芯ガイド部材の移動が目に入ってしまい不快感が生じる点である。また、筆記中に把持部材が揺動すると、筆記しにくくなる点である。
【課題を解決するための手段】
【０００６】
本発明は、チャックの頭部に締具を外嵌し、前記チャックをチャックスプリングにより長手方向後方に付勢し、チャックに押圧された締具を受け止める連結具をスライド部材に対し回動可能に構成し、把持部材に対して前記スライド部材を長手方向に移動可能で回動不能に構成し、かつ、スライド部材を弾性体により長手方向前方に付勢し、このスライド部材に先部材を連結し、先部材内に回動不能に摺動部材を内蔵し、更に、摺動部材に前カムと後カムを形成するとともに回転部材に前カムと後カムを形成し、前記摺動部材の前カムと回転部材の前カムを互いに当接可能に構成するとともに摺動部材の後カムと回転部材の後カムを互いに当接可能に構成し、筆記によるチャック及び連結具の前後動と連動してスライド部材が前後動することにより、摺動部材と回転部材が互いに前後に移動し、摺動部材の前カムと回転部材の前カム及び摺動部材の後カムと回転部材の後カムが前後して互いに当接することにより回転部材が一方向に回転し、この回転部材と連動して芯ホルダーを所定角度毎に回転させ、芯ホルダーの回転に伴って芯ホルダーに適度の力で保持された芯を回転させることを最も主要な特徴とする。
【発明の効果】
【０００７】
本発明は、筆記圧による先部材の往復動によって芯ホルダーが一方向に回転し、この芯ホルダーの回転に伴い芯及びチャックを回転するので、芯の後退とともに先部材及びチャック等の機構部が後退し、シャープペンシルの主要部が後退するために把持部を保持する手に芯の後退が直接伝わらず、筆記し易くなるものである。また、先部材とともに芯及びスライド部材が後退するので、芯の後退を感じにくくなる利点が得られるものである。更に、把持部材の揺動を弾性体により緩和できるものである。
【図面の簡単な説明】
【０００８】
【図１】図１は、本発明の実施例１のシャープペンシルを示す断面図である。（実施例１）
【図２】図２は、本発明の実施例１のシャープペンシルを示す主要部拡大断面図である。（実施例１）
【図３】図３は、図２のＡ−Ａ線を示す拡大断面図である。（実施例１）
【図４】図４は、図２における摺動部材と回転部材による回転機構の展開状態を示す主要部拡大説明図である。（実施例１）
【図５】図５は、本発明の実施例１のシャープペンシルにおいて筆圧を加えた状態を示す主要部拡大断面図である。（実施例１）
【図６】図６は、図５における摺動部材と回転部材による回転機構の展開状態を示す主要部拡大説明図である。（実施例１）
【図７】図７は、図５の状態から筆圧を解除した状態における摺動部材と回転部材の回転機構の展開状態を示す主要部拡大説明図である。（実施例１）
【図８】図８は、本発明の実施例２のシャープペンシルを示す主要部断面図である。（実施例２）
【図９】図９は、本発明の実施例２のシャープペンシルにおける緩衝部材を示す拡大正面図である。（実施例２）
【図１０】図１０は、図９の拡大右側面図である。（実施例２）
【図１１】図１１は、本発明の実施例３のシャープペンシルを示す主要部拡大断面図である。（実施例３）
【図１２】図１２は、図１１における摺動部材と回転部材の回転機構の展開状態を示す主要部拡大説明図である。（実施例３）
【図１３】図１３は、実施例３のシャープペンシルにおいて、筆圧を加えた状態を示す主要部拡大断面図である。（実施例３）
【図１４】図１４は、図１３における摺動部材と回転部材の回転機構の展開状態を示す主要部拡大説明図である。（実施例３）
【発明を実施するための形態】
【０００９】
本発明は、筆記によるチャック及び連結具の前後動と連動してスライド部材が前後動することにより芯ホルダーが一方向に回転し、この芯ホルダーの回転に伴い芯を回転させ、更に、芯の後退による把持部材の揺動を緩和できるシャープペンシルを実現した。
【実施例１】
【００１０】
以下、図１、図２、図３、図４、図５、図６及び図７に基づいて、本発明における実施例１のシャープペンシルを説明する。また、図１の左側を前方とし、右側を後方とする。先ず、図１及び図２において、シリコンゴム等の軟質材で構成された把持部材１を前軸２に固定して取り付ける。この前軸２に前方よりスライド部材３を挿入するとともに後方より固定駒４を挿入し、スライド部材３と固定駒４を圧入固着する。このスライド部材３の後端と前軸２の内鍔２Ａとの間に取付時荷重が１５０ｇ程度の緩衝スプリング５を取り付ける。この緩衝スプリング５により弾性体を構成する。前記スライド部材３は緩衝スプリング５により長手方向前方に付勢され、固定駒４の外段４Ａが前軸２の内鍔２Ａに当接される。また、スライド部材３の前部には円周方向等間隔に４個貫通したキー溝３Ａを形成し、このキー溝３Ａに前軸２の前部内面に内方に突出して形成されたキー２Ｂが嵌合し、スライド部材３と前軸２は長手方向には適宜移動可能でかつ回動不能に構成される。更に、前軸２のキー２Ｂの一部はスライド部材３の貫通したキー溝３Ａより内方に突出して構成される。
【００１１】
シャープペンシルの機構部は、頭部６Ａが数分割されたチャック６と、チャック６の頭部６Ａに外嵌される締具７と、チャック６の後部に固着されるコネクター８と、コネクター８に圧入固着されるパイプ状の芯タンク９と、締具７を受け止める連結具１０と、連結具１０とコネクター８の間に取付時荷重が１００ｇ程度で取り付けられるチャックスプリング１１とにより構成される。更に、芯タンク９の前部にゴム等の軟質材からなる前Ｏリング１２をコネクター８の外鍔８Ａと接触させて取り付ける。
【００１２】
前記機構部をスライド部材３の前方より挿入し、スライド部材３の内鍔３Ｂを連結具１０の後部外鍔１０Ａが挿通し、スライド部材３の内鍔３Ｂが連結具１０の前部外鍔１０Ｂと後部外鍔１０Ａの間に回動自在に係合される。
【００１３】
更に、先部材１３の後部には後端から切り欠かれて伸びたキー溝１３Ａが相対位置に形成される。また、前部に芯ガイドパイプ１４を固定した回転部材１５を先部材１３に回動可能に内蔵する。この回転部材１５に芯１６を５０ｇ程度の摩擦力で保持するゴム製の芯ホルダー１７を取り付ける。
【００１４】
次に、前記回転部材１５を回転させるための回転機構を説明する。図４に示したように、回転部材１５に、前外鍔の後面に形成した前カム１５Ａと後外鍔の前面に形成した後カム１５Ｂを構成する。この回転部材１５の前カム１５Ａは、右回転方向に向かって後方に傾斜する多数の傾斜面１５Ｃと、傾斜面１５Ｃと傾斜面１５Ｃの間に位置する垂直面１５Ｄにより構成する。また、回転部材１５の後カム１５Ｂは、右回転方向に向かって前方に傾斜する多数の傾斜面１５Ｅと、傾斜面１５Ｅと傾斜面１５Ｅの間に位置する垂直面１５Ｆにより構成する。更に、摺動部材１８の内側部に、前端面に形成した前カム１８Ａと後段面に形成した後カム１８Ｂを構成する。この摺動部材１８の前カム１８Ａは、左回転方向に向かって前方に傾斜する多数の傾斜面１８Ｃと、傾斜面１８Ｃと傾斜面１８Ｃの間に位置する垂直面１８Ｄにより構成する。また、摺動部材１８の後カム１８Ｂは、左回転方向に向かって後方に傾斜する多数の傾斜面１８Ｅと、傾斜面１８Ｅと傾斜面１８Ｅの間に位置する垂直面１８Ｆにより構成する。更に、摺動部材１８の前カム１８Ａの傾斜面１８Ｃと後カム１８Ｂの傾斜面１８Ｅは同数で前カム１８Ａの傾斜面１８Ｃの略中心に後カム１８Ｂの垂直面１８Ｆが位置する。また、回転部材１５の前カム１５Ａの傾斜面１５Ｃと後カム１５Ｂの傾斜面１５Ｅも摺動部材１８の前カム１８Ａの傾斜面１８Ｃ及び後カム１８Ｂの傾斜面１８Ｅと同数で、やはり前カム１８Ａの傾斜面１８Ｃの略中心に後カム１８Ｂの垂直面１８Ｆが位置する。前記摺動部材１８の内側部を前記回転部材１５の前カム１５Ａと後カム１５Ｂの間に取り付け、回転部材１５の前カム１５Ａと摺動部材１８の前カム１８Ａを対面させるとともに、回転部材１５の後カム１５Ｂと摺動部材１８の後カム１８Ｂを対面させて構成する。また、回転部材１５に対し摺動部材１８は長手方向に適宜前後動可能に構成し、回転部材１５の前カム１５Ａと摺動部材１８の前カム１８Ａ及び回転部材１５の後カム１５Ｂと摺動部材１８の後カム１８Ｂは当接可能に構成される。
【００１５】
この回転部材１５及び摺動部材１８は先部材１３に内蔵されるが、先部材１３のキー溝１３Ａに摺動部材１８の相対位置に係止された突部１８Ｇが挿入され、先部材１３に対して摺動部材１８は長手方向に移動可能で回動不能に構成される。また、摺動部材１８の突部１８Ｇは先部材１３の後部周面より円周方向外方に突出する。また、先部材１３の内段１３Ｂと摺動部材１８の外段１８Ｈとの間に前スプリング１９を取り付け、摺動部材１８を長手方向後方に付勢する。
【００１６】
上記先部材１３を前記スライド部材３に着脱可能に螺合し、先部材１３の係止段１３Ｃと連結具１０の前端との間に回転部材１５を回動可能に内蔵し、取付時荷重１００ｇ程度で取り付けられた前スプリング１９により長手方向後方に付勢された摺動部材１８の後カム１８Ｂを回転部材１５の後カム１５Ｂに当接するとともに、摺動部材１８の突部１８Ｇを前軸２のキー２Ｂに当接させる。
【００１７】
更に、前軸２の後方から円筒状の重量体２０を挿入し、重量体２０を芯タンク９の外面と固定駒４の内面の間に長手方向に摺動可能に遊嵌する。尚、芯タンク９の外面と重量体２０の内面との隙間より重量体２０の外面と固定駒４の内面との隙間を狭く構成する。
【００１８】
後軸２１にはクリップ２２が一体に構成されるとともに、後軸２１の前方より中子２３を挿入する。この中子２３には内鍔２３Ａ前端にゴム等の軟質材からなる後Ｏリング２４を圧入固着する。また、後軸２１の後方より押圧部材２５を挿入し、中子２３の開口窓２３Ｂに押圧部材２５の係止突起２５Ａを係止するとともに押圧部材２５の前端を中子２３の内鍔２３Ａに当接し、中子２３と押圧部材２５を連結する。更に、後軸２１の内鍔２１Ａと押圧部材２５の外段２５Ｂとの間には取付時荷重３００ｇ程度でリターンスプリング２６を取り付け、押圧部材２５を長手方向後方に付勢する。この押圧部材２５には内孔２５Ｃが形成されて芯１６が通過可能に構成されるとともに、押圧部材２５の後部内側に消しゴム２７が取り付けられる。また、押圧部材２５の後部外側には消しゴム２７を覆うためにノブ２８が着脱可能に嵌合される。
【００１９】
この後軸２１を前記前軸２に着脱可能に螺合するとともに、芯タンク９内に予備の芯１６を収納して振出式のシャープペンシルを構成する。
【００２０】
前記シャープペンシルで筆記を行うと、芯１６が紙面に押圧され図５に示したように、筆圧を受けるチャック６、締具７、連結具１０、スライド部材３、固定駒４、先部材１３及び回転部材１５は停止しているが、スライド部材３に対し手で把持された前軸２及び把持部材１は緩衝スプリング５を圧縮しながら前進し、前軸２のキー２Ｂに突部１８Ｇが当接した摺動部材１８も前軸２とともに前スプリング１９を圧縮しながら前進する。すると、摺動部材１８の前カム１８Ａが回転部材１５の前カム１５Ａに当接し、摺動部材１８の前カム１８Ａの傾斜面１８Ｃが回転部材１５の前カム１５Ａの傾斜面１５Ｃに当接する。しかし、摺動部材１８は突部１８Ｇが先部材１３のキー溝１３Ａに挿入されて回動不能となっているので、回転部材１５の前カム１５Ａの傾斜面１５Ｃが摺動部材１８の前カム１８Ａの傾斜面１８Ｃの略半分を滑って、図６に示したように回転部材１５が前方に対して右回転する。この回転部材１５とともに回転部材１５に取り付けられた芯ホルダー１７が右回転すると芯１６も右に回転する。この時、芯１６を保持するチャック６も、締具７及び連結具１０とともにスライド部材３に対して右に回転する。
【００２１】
次に、筆記を止め芯１６を紙面より離すと、手で把持された前軸２及び把持部材１に対して、緩衝スプリング５により前方に付勢された先部材１３及びスライド部材３が前進する。すると、スライド部材３とともに、連結具１０、締具７、チャック６、回転部材１５、芯ホルダー１７が芯１６とともに前進する。そして、回転部材１５の後カム１５Ｂの傾斜面１５Ｅが前スプリング１９により摺動部材１８の後カム１８Ｂの傾斜面１８Ｅに当接し、回転部材１５の後カム１５Ｂの傾斜面１５Ｅが摺動部材１８の後カム１８Ｂの傾斜面１８Ｅの略半分を滑って図７に示したように回転部材１５が前方に対して右回転する。また、固定駒４の外段４Ａが前軸２の内鍔２Ａに当接し、図１及び図２の状態に復帰する。すると、回転部材１５の後カム１５Ｂの傾斜面１５Ｅは摺動部材１８の後カム１８Ｂの傾斜面１８Ｅを１つ乗り越えて右隣りの傾斜面１８Ｅに当接され、図７に示したように芯１６は回転部材１５の後カム１５Ｂの１つの傾斜面１５Ｅ寸法だけ右に回転する。また、筆記中の芯１６が短くなってチャック６で保持できない場合でも、短くなった芯１６をチャック６に保持された芯１６で押し出せば続けて筆記を行うことができ、短くなった芯１６は回転する。ただし、この場合はチャック６が回転しないため、チャック６に保持されている芯１６は回転しない。尚、チャック６、コネクター８及び芯タンク９と押圧部材２５が分離されているとともに、固定駒４と重量体２０の隙間より重量体２０と芯タンク９の隙間が大きく構成されているので、芯タンク４の回転を押圧部材２５や重量体２０によって妨げられる恐れはない。
【００２２】
筆記を行うことによって芯１６が摩耗した場合には、手で把持した把持部材１を振ると、重量体２０が先ず後方に移動して後Ｏリング２４に当接する。その反動で把持部材１を前方に振ると、重量体２０は前方に移動して前Ｏリング１２に当接する。この重量体２０の慣性力によりチャック６、コネクター８、芯タンク９を前進させ、従来公知の振出式シャープペンシルと同様に一定量芯１６を繰り出す。
【００２３】
この実施例１のシャープペンシルの場合には、先部材１３及びスライド部材３に対する前軸２や把持部材１の揺動が緩衝スプリング５により緩和されるので筆記がし易くなるものである。
【実施例２】
【００２４】
以下、図８、図９及び図１０に基づいて本発明における実施例２のシャープペンシルを説明する。尚、図１と同一部材は同一の符号を付してその説明を省略する。先ず、スライド部材３の後端と前軸２の内鍔２Ａとの間にゴムあるいは低反発発泡体等で構成された緩衝部材２９を取付時荷重１５０ｇ程度で取り付ける。この緩衝部材２９は円筒状に形成し、その後部には長手方向後方に突出する突部２９Ａが円周方向等間隔に複数形成されている。また、緩衝部材２９の取付時荷重は前スプリング１９の取付時荷重より強く構成する。この緩衝部材２９により弾性体を構成する。
【００２５】
前記シャープペンシルで筆記を行うと、芯１６が紙面に押圧され、筆圧を受けるチャック６、締具７、連結具１０、スライド部材３、固定駒４、先部材１３及び回転部材１５は停止しているが、スライド部材３に対し手で把持された前軸２及び把持部材１は緩衝部材２９を圧縮しながら前進し、前軸２のキー２Ｂに突部１８Ｇが当接した摺動部材１８も前軸２とともに前スプリング１９を圧縮しながら前進する。この摺動部材１８の往復動によって回転部材１５を回転させる。
【００２６】
したがって、芯１６が筆圧を受けることによって手で把持された前軸２及び把持部材１が前進する時、緩衝部材２９によって緩やかに移動させることができ、筆記中に前軸２及び把持部材１が揺動することによって生じる筆記の妨げを緩和できる利点が得られる。
【実施例３】
【００２７】
以下、図１１、図１２、図１３及び図１４に基づいて本発明における実施例３のシャープペンシルを説明する。尚、図２と同一部材は同一の符号を付してその説明を省略する。先ず、図１１において、前部に芯ガイドパイプ１４を固定した回転部材１１５を先部材１３に回動可能に内蔵する。この回転部材１１５に芯１６を５０ｇ程度の摩擦力で保持するゴム製の芯ホルダー１７を取り付ける。
【００２８】
次に、前記回転部材１１５を回転させるための回転機構を説明する。回転部材１１５に突部１１５Ｇを形成し、この突部１１５Ｇの前面に前カム１１５Ａを形成するとともに、突部１１５Ｇの後面に後カム１１５Ｂを形成する。この回転部材１１５の前カム１１５Ａは、図１２に示したように、右回転方向に向かって前方に傾斜する多数の傾斜面１１５Ｃと、傾斜面１１５Ｃと傾斜面１１５Ｃの間に位置する垂直面１１５Ｄにより構成する。回転部材１１５の後カム１１５Ｂは、右回転方向に向かって後方に傾斜する多数の傾斜面１１５Ｅと、傾斜面１１５Ｅと傾斜面１１５Ｅの間に位置する垂直面１１５Ｆにより構成する。また、摺動部材１１８に、前内鍔１１８Ｉの後面に形成した前カム１１８Ａと後内鍔１１８Ｊの前面に形成した後カム１１８Ｂを構成する。この摺動部材１１８の前カム１１８Ａは、左回転方向に向かって後方に傾斜する多数の傾斜面１１８Ｃと、傾斜面１１８Ｃと傾斜面１１８Ｃの間に位置する垂直面１１８Ｄにより構成する。また、摺動部材１１８の後カム１１８Ｂは、左回転方向に向かって前方に傾斜する多数の傾斜面１１８Ｅと、傾斜面１１８Ｅと傾斜面１１８Ｅの間に位置する垂直面１１８Ｆにより構成する。更に、摺動部材１１８の前カム１１８Ａの傾斜面１１８Ｃと後カム１１８Ｂの傾斜面１１８Ｅは同数で前カム１１８Ａの傾斜面１１８Ｃの略中心に後カム１１８Ｂの垂直面１１８Ｆが位置する。また、回転部材１１５の前カム１１５Ａの傾斜面１１５Ｃと後カム１１５Ｂの傾斜面１１５Ｅも摺動部材１１８の前カム１１８Ａの傾斜面１１８Ｃ及び後カム１１８Ｂの傾斜面１１８Ｅと同数で、前カム１１５Ａの垂直面１１５Ｄと後カム１１５Ｂの垂直面１１５Ｆが長手方向に合わされている。前記摺動部材１１８の前カム１１８Ａと後カム１１８Ｂの間に回転部材１１５の突部１１５Ｇを取り付け、回転部材１１５の前カム１１５Ａと摺動部材１１８の前カム１１８Ａを対面させるとともに、回転部材１１５の後カム１１５Ｂと摺動部材１１８の後カム１１８Ｂを対面させて構成する。また、回転部材１１５に対し摺動部材１１８は長手方向に適宜前後動可能に構成し、回転部材１１５の前カム１１５Ａと摺動部材１１８の前カム１１８Ａ及び回転部材１１５の後カム１１５Ｂと摺動部材１１８の後カム１１８Ｂは当接可能に構成する。
【００２９】
この回転部材１１５及び摺動部材１１８は先部材１３に内蔵されるが、先部材１３のキー溝１３Ａに摺動部材１１８の相対位置に形成された突部１１８Ｇが挿入され、先部材１３に対して摺動部材１１８は長手方向に移動可能で回動不能に構成される。また、摺動部材１１８の突部１１８Ｇは先部材１３の後部表面より外方に突出する。更に、先部材１３の内段１３Ｂと摺動部材１１８の外段１１８Ｈとの間に前スプリング１９を取り付け、摺動部材１１８を長手方向後方に付勢する。
【００３０】
上記先部材１３をスライド部材３に着脱可能に螺合し、先部材１３の係止段１３Ｃと連結具１０の前端との間に回転部材１１５を回動可能に内蔵し、取付時荷重１００ｇ程度で取り付けられた前スプリング１９により長手方向後方に付勢された摺動部材１１８の前カム１１８Ａを回転部材１１５の前カム１１５Ａに当接するとともに、摺動部材１１８の突部１１８Ｇを前軸２のキー２Ｂに当接させる。すると、前軸２の内鍔２Ａが固定駒４の外段４Ａに当接され、振出式のシャープペンシルを構成する。
【００３１】
前記シャープペンシルで筆記を行うと、芯１６が紙面に押圧され、図１３に示したように、筆圧を受けるチャック６、締具７、連結具１０、スライド部材３、固定駒４、先部材１３及び回転部材１１５は停止しているが、スライド部材３に対し手で把持された前軸２及び把持部材１は緩衝スプリング５を圧縮しながら前進し、前軸２のキー２Ｂに突部１１８Ｇが当接した摺動部材１１８も前軸２とともに前スプリング１９を圧縮しながら前進する。すると、摺動部材１１８の後カム１１８Ｂが回転部材１１５の後カム１１５Ｂに当接し、摺動部材１１８の後カム１１８Ｂの傾斜面１１８Ｅが回転部材１１５の後カム１１５Ｂの傾斜面１１５Ｅに当接する。しかし、摺動部材１１８は突部１１８Ｇが先部材１３のキー溝１３Ａに挿入されて回動不能となっているので、回転部材１１５の後カム１１５Ｂの傾斜面１１５Ｅが摺動部材１１８の後カム１１８Ｂの傾斜面１１８Ｅの略半分を滑って図１４に示したように回転部材１１５が前方に対して右回転する。この回転部材１１５とともに、回転部材１１５に取り付けられた芯ホルダー１７が右回転すると芯１６も右に回転する。この時、芯１６を保持するチャック６も、締具７及び連結具１０とともにスライド部材３に対して右に回転する。
【００３２】
次に、筆記を止め芯１６を紙面より離すと、手で把持された前軸２及び把持部材１に対して、緩衝スプリング５により前方に付勢された先部材１３及びスライド部材３が前進する。すると、スライド部材３とともに、連結具１０、締具７、チャック６、回転部材１１５、芯ホルダー１７が芯１６とともに前進する。そして、回転部材１１５に形成された前カム１１５Ａの傾斜面１１５Ｃが摺動部材１１８に形成された前カム１１８Ａの傾斜面１１８Ｃに当接し、回転部材１１５の前カム１１５Ａの傾斜面１１５Ｃが摺動部材１１８の前カム１１８Ａの傾斜面１１８Ｃの略半分を滑って回転部材１１５が前方に対して右回転する。また、固定駒４の外段４Ａが内鍔２Ａに当接し、図１１の状態に復帰する。すると、回転部材１１５の前カム１１５Ａの傾斜面１１５Ｃは摺動部材１１８の前カム１１８Ａの傾斜面１１８Ｃを１つ乗り越えて右隣りの傾斜面１１８Ｃに当接され、芯１６は回転部材１１５の後カム１１５Ｂの１つの傾斜面１１５Ｃ寸法だけ右に回転する。尚、チャック６、コネクター８及び芯タンク９が回転する時、芯タンク９と押圧部材２５が分離されているとともに、固定駒４と重量体２０の隙間より重量体２０と芯タンク９の隙間が大きく構成されているので、芯タンク９の回転を押圧部材２５や重量体２０によって妨げられる恐れはない。
【００３３】
この実施例３のシャープペンシルの場合も、先部材１３及びスライド部材３に対する前軸２や把持部材１の揺動が緩衝スプリング５により緩和されるので筆記がし易くなるものである。
【００３４】
尚、本発明は、上記実施例に限定されるものではなく、把持部材、前軸、先部材、スライド部材、固定駒、回転部材、摺動部材、連結具あるいは弾性体といった部材は説明を簡略化するためにそれぞれ１個の部材として図示しているが、それぞれ２個以上の部材を螺合、圧入等により一体化すれば良い。また、回転部材、中駒、芯ガイドパイプに取り付けられる芯ホルダーは、ゴムに限定されるものではなく、金属の板を筒状に形成し、その一部に弾性部を形成したり、あるいは回転部材、中駒あるいは芯ガイドパイプ等の一部に弾性部を形成して一体に構成しても良い。更に、上記実施例は前カムの傾斜面の略中心に後カムの垂直面を位置させて構成しているが、これは説明を明確にするためであって、本発明は、上記実施例に限定されるものではなく、互いに当接する前カムの傾斜面同士が接触して合致した時、互いに当接可能な後カムの接触面同士は離間するとともに傾斜面寸法の略半分程度円周方向にずれて構成され、かつ、前カムの傾斜面と後カムの傾斜面が円周方向に対して逆向きに傾斜して構成されていれば良い。
【産業上の利用可能性】
【００３５】
筆記圧による先部材の前後動により芯を回転させることができ、筆記により芯が後退するとシャープペンシルの主要部が後退するために把持部を保持する手に芯の後退が直接伝わらず筆記し易くなるとともに、把持部材の揺動を弾性体により緩和できるシャープペンシルに適用できる。
【符号の説明】
【００３６】
１    把持部材
３    スライド部材
６    チャック
６Ａ    チャック６の頭部
７    締具
１０    連結具
１１    チャックスプリング
１３    先部材
１５    回転部材
１５Ａ    回転部材１５の前カム
１５Ｂ    回転部材１５の後カム
１６    芯
１７    芯ホルダー
１８    摺動部材
１８Ａ    摺動部材１８の前カム
１８Ｂ    摺動部材１８の後カム
１１５    回転部材
１１５Ａ    回転部材１１５の前カム
１１５Ｂ    回転部材１１５の後カム
１１８    摺動部材
１１８Ａ    摺動部材１１８の前カム
１１８Ｂ    摺動部材１１８の後カム
【図１】
2013126737.tif 000003
【図２】
2013126737.tif 000004
【図３】
2013126737.tif 000005
【図４】
2013126737.tif 000006
【図５】
2013126737.tif 000007
【図６】
2013126737.tif 000008
【図７】
2013126737.tif 000009
【図８】
2013126737.tif 000010
【図９】
2013126737.tif 000011
【図１０】
2013126737.tif 000012
【図１１】
2013126737.tif 000013
【図１２】
2013126737.tif 000014
【図１３】
2013126737.tif 000015
【図１４】
2013126737.tif 000016